(57)【要約】【課題】  編成エレメントの数回にわたる交換後でもバー内での編成エレメントの満足すべき着座を達成できる編機バーを提供する。【解決手段】  記載されるのは、編成エレメント５を収容するための複数の固着溝３を有し、これらの編成エレメント５がバー１の長手方向に沿って並置されており、各固着溝３が１つの溝底１６と２つの溝側面１８、１９と１つの溝口１７とを有する編機バー１である。固着溝３の溝口１７の幅が溝底１６の幅よりも大きくなっている。【選択図】図１
2007197895.tif 000002
【特許請求の範囲】
【請求項１】
編成エレメントを収容するための複数の固着溝を有し、これらの編成エレメントがバーの長手方向に沿って並置されており、各固着溝が１つの溝底と２つの溝側面と１つの溝口とを有するものにおいて、固着溝（３）は、溝口（１７）の幅が溝底（１６）の幅よりも大きくなっていることを特徴とする編機バー。
【請求項２】
大きな幅から小さな幅への移行軌跡を連ねると面（２４）の形状になるような移行であり、この面（２４）は、一方の溝側面（１８、１９）の奥行き方向の少なくとも一部に存在するとともに、かつ他方の溝側面（１９、１８）に対して、溝口（１７）から溝底（１６）に進むにつれて他方の溝側面（１８、１９）に向って傾斜または湾曲していることを特徴とする、請求項１に記載の編機バー。
【請求項３】
前記面（２４）は、溝底（１６）に至るまで形成されていることを特徴とする、請求項２に記載の編機バー。
【請求項４】
前記面（２４）は、傾き角が異なる少なくとも２つの部分面（２８）を有することを特徴とする、請求項２または３に記載の編機バー。
【請求項５】
溝側面（１８）がバーの前面（２１）に対して直角に配置されていることを特徴とする、請求項１〜４のいずれか１の項に記載の編機バー。
【請求項６】
前記両方の溝側面（１８、１９）は、互いに接近するように傾斜または湾曲した面を有することを特徴とする、請求項１〜４のいずれか１の項に記載の編機バー。
【請求項７】
前記両方の溝側面（１８、１９）は、最も幅が大きくなっている部分に、互いに平行に延びる面を有することを特徴とする、請求項１〜６のいずれか１の項に記載の編機バー。
【請求項８】
少なくとも１つの固着溝（３）に編成エレメントが嵌着されており、この編成エレメントが固着溝（３）内に配置される固着部（７）を有し、この固着部（７）が１つの前面（１２）と１つの裏面（１３）と２つの側面（１４、１５）とを有し、固着部（７）の前面（１２）が裏面（１３）の幅よりも大きく形成されていることを特徴とする、請求項１〜７のいずれか１の項に記載の編機バー。
【請求項９】
側面（１４、１５）が部分面（２３）を有し、少なくともこの部分面（２３）において溝側面（１８、１９）の面（２４）に対応する形状を有することを特徴とする、請求項８に記載の編機バー。
【請求項１０】
編成エレメントが所定の張出し量（２０）だけ固着溝（３）から突出することを特徴とする、請求項８または９に記載の編機バー。
【請求項１１】
溝底（１６）と編成エレメントの裏面（１３）との間に所定の安全距離（ｓ）が設けられていることを特徴とする、請求項８〜１０のいずれか１の項に記載の編機バー。
【発明の詳細な説明】
【技術分野】
【０００１】
本発明は、編成エレメントを収容するための複数の固着溝を有し、これらの編成エレメントがバーの長手方向に沿って並置されており、各固着溝が１つの溝底と２つの溝側面と１つの溝口とを有する編機バーに関する。
【背景技術】
【０００２】
このようなバーは一般に経編機の構成要素である。しかしバーは別の編目形成繊維機械においても使用することができる。編成エレメントは、主に複合針またはその他の編針である。
【０００３】
本発明は、以下の編針の例によって説明される。
【０００４】
１つの編機には一般に多数の編針が設けられている。バーには、１メートル当り５００〜２０００本の編針が嵌着されることが前提になっている。動作時、編針は一定の摩耗を受けている。それ故、編針は時々交換されねばならない。
【０００５】
編針はバーの固着溝内に配置されている。その際に重要なことは、編針が互いに所定のゲージ間隔で並設されていることである。さらに、編針の嵌着後に一直線に並ぶ編針の並びがバーの長手方向と平行でなければならないであろう。
【０００６】
編針は量産品であるので、許容可能な支出の範囲内で生産できる編針は、一定の公差が含まれているものに限られる。これらの公差は、例えば一定の幅の差に現れ、幅の差は、例えば編針が異なるロットの薄板から作製されるときに生じることがある。その結果、固着溝は、一般に編針の幅よりも多少大きく形成されなければならない。これは確かに、編針を固着溝から取出すこと、および編針を固着溝に嵌着することを容易にするが、しかしバーに嵌着後、バーと編針との間に一定の遊びが生じることとなる。
【０００７】
それゆえに特許文献１では、編針のステムが膨らみ部を備えており、この膨らみ部で固着溝に対する一定の過寸法を形成することが提案された。これらの編針が固着溝に押し込まれると、膨らみ部が溝側面を多少押しのけ（塑性変形）または据え込み、編針は固着溝内で隙間なく着座する。しかしながらこの遊びのなさは、長い期間にわたって維持することができず、または頻繁に交換する場合にも維持することができない。さらに大量生産する場合、これらの膨らみ部が常に同じ位置に形成されてしまう。それ故このような編針を交換するとき、前回そこにあった編針の膨らみ部によって既に押しのけた個所に膨らみ部が着座し、ここで再び小さな遊びが生じるという危険は十分に有り得る。
【特許文献１】独国特許第４４１４７０３号明細書
【発明の開示】
【発明が解決しようとする課題】
【０００８】
本発明の課題は、数回にわたる編成エレメント交換後でもバー内での編成エレメントの満足すべき着座を達成することである。
【課題を解決するための手段】
【０００９】
この課題は、冒頭に指摘した種類のバーにおいて、固着溝において溝口の幅が溝底の幅よりも大きくなっていることによって解決される。
【００１０】
つまりバーの固着溝は、従来一般的であったように側面を互いに平行に形成するのでなく、その前面部分、つまり溝口の部分が底面部分、すなわち溝底の部分よりも幅広である。その場合固着溝に対応するように形成された編針は、固着溝に嵌着時、自動的に位置決めされる。すなわち、このような固着溝でもって編針が常に両方の溝側面に当接することが達成され、編針は、前面から相応する保持力を与えることによって、その固着溝内で隙間なく保持され得る。つまり、固着溝の間に配置される溝腹部を変形させたり、溝腹部または編針自体を変形させたりする必要がない。むしろ、編針とバーは、いわば摩耗なしに組み立てることができる。
【００１１】
主に、大きな幅から小さな幅への移行奇跡を連ねると面の形状になるような移行であり、この面は一方の溝側面の奥行き方向の少なくとも一部に存在するとともに、かつ他方の溝側面に対して、溝口から溝底に進むにつれて他方の溝側面に向って傾斜または湾曲している。傾斜面または湾曲面の場合、編針を固着溝に嵌着し編針の側面が溝側面と最初に接触することによって、僅かに横方向に案内され、しかも編針の他方の側面が他方の溝側面に接触するまで案内される。これによって編針の両方の側面が各溝側面に接触し、編針は隙間なく確実に固着溝内に着座する。
【００１２】
主に、面は溝底に至るまで形成されている。これによって嵌着時に固着溝内で編針と当接する面を極力大きくすることができ、そして案内面を相応に大きくすることができる。
【００１３】
好ましくは、傾斜面は傾き角の異なる少なくとも２つの部分面を有する。これによって特殊な事例において固着溝内での編針の嵌着と保持とをより一層良好に具体化することができる。
【００１４】
好ましくは、溝側面はバーの前面に対して直角に配置されている。その場合、固着溝内において、この溝側面が形成される位置で編針が整列される。編針は既に固着溝内に嵌着されて、直角に延びる側面に接触し、次に編針は傾斜する側面に接触するまで固着溝内に押込まれる。その場合、編針は隙間なく固着溝内に着座する。また編針がまず傾斜する側面に接触するように編針を固着溝内に嵌着すると、編針は傾斜する側面との接触によって、垂直に延びる側面へと案内され、垂直に延びる側面に当接する。その場合にも、隙間のない着座が保証されている。
【００１５】
別の形態において、両方の溝側面は、互いに接近するように傾斜または湾曲した面を有する。その場合、編成エレメントが第１の溝側面と接触すると、編成エレメントが僅かな距離だけ横方向にずらされ、他方の溝側面と接触する。その場合にも、隙間のない着座が保証されている。
【００１６】
好ましくは、両方の溝側面が、最も幅が大きくなっている部分に、互いに平行に延びる面を有する。一方または両方の側面の一部分だけが傾斜している。これは、固着溝内で隙間のない編針着座を保証するのに十分である。
【００１７】
主に、少なくとも１つの固着溝に編成エレメントが嵌着されており、この編成エレメントが固着溝内に配置される固着部を有し、この固着部が１つの前面と１つの裏面と２つの側面とを有し、固着部は前面の幅が裏面の幅よりも大きく形成されている。その場合、編成エレメントの横断面が固着溝の横断面に対応している。固着溝は編成エレメントによって埋めることができる。そのことから固着溝内で編成エレメントを最も良好に保持することができる。
【００１８】
主に、編成エレメントの側面は少なくとも部分面において、固着溝の溝側面の面に対応する形状を有する。その場合、前記側面と前記溝側面とは事実上平面的に隣接することができ、固着溝内で編針の高い固着安定性が保証されている。
【００１９】
好ましくは、編成エレメントが所定の張出し量だけ固着溝から突出する。これは、締付装置、例えば蓋によって固着溝内で編成エレメントを固定保持できる利点を有する。
【００２０】
また、溝底と編成エレメントの裏面との間に所定の安全距離が設けられていると有利である。この安全距離は張出し量よりも多少小さくなっている。この安全距離でもって、一方で編成エレメントが十分に固着溝内に押込まれて両方の溝側面に隙間なく当接することが確保できる。他方で編成エレメントが固着溝内に嵌着される行程において、過大な力が発生した時に、過大な力が制限され、固着溝の間にある溝腹部はこのように高い力が発生しても許容以上に変形することがない。つまりこのように高い力が発生したときに、編成エレメントは溝底に当接し、それ以上動くことがない。
【００２１】
以下、図面と合せて好ましい実施例に基づいて本発明が説明される。
【発明を実施するための最良の形態】
【００２２】
以下、本発明の好ましい実施形態を、図面を参照しながら説明する。
【００２３】
図１は詳細には図示されていない編機バー１の一部の構成を表す斜視図である。このような編機バー１は長手方向（図１の横方向）において数メートルの長さを有する場合がある。
【００２４】
前記編機バー１は、所定の高さ方向（図１において上下方向）の一部分２に多数並置される高さ方向に延びる固着溝３を有し、これらの固着溝３は互いに平行になるよう編機バー１の長手方向において複数並設されている。前記固着溝３は溝腹部４によって相互に分離されている。
【００２５】
前記固着溝３内に編成エレメントの一種である編針５が配置される。この図１では、編針５が多数の固着溝のうち２つの固着溝３内にのみ配置されているが、一般に、全ての固着溝３内に編針５がそれぞれ配置される。
【００２６】
図１に図示される編針５は、２つの異なる方向から見ると、図２（ａ），（ｂ）に図示するような形態を有する。各編針５は固着部７を有するステム６を具備している。この編針５は、固着部７によって前記編機バー１の固着溝３内に固定されている。
【００２７】
一般に知られた編針と同じように、ステム６の一端に続いて針頭８を有し、この針頭８にはフック９が形成されており、詳しくは図示しない形態でスライダを前記フック９に設けておくことができる。前記フック９に糸を引っ掛けて編目に挿通すべきとき、図示しないスライダはフック９を閉じることができる。ステム６の他端には、突起１１を備えるバット１０が形成されており、この突起１１が前記高さ方向の一部分２の下端に引っ掛かることによって、編針５を編機バー１に付加的に固着する。
【００２８】
以下で説明する目的で、前記編針５、一層厳密に述べるならその前記編針５の固着部７に１つの前面１２と１つの裏面１３と２つの側面１４、１５を備えている。この前面１２は、この編針５を前記編機バー１に組付けたとき、該編機バー１から張り出す（視認できる）側の面である。裏面１３は、編機バー１の固着溝３の底内へ最も深く嵌着された側の面である。
【００２９】
図４から判るように、前記固着部７の両方の側面１４、１５は、互いに平行に設けられているのでなく、前面１２から裏面１３へ向く方向へゆくに従って両方の面１４、１５が近接する方向へ傾斜している。つまり、編針５の横断面は固着部７において基本的にＶ形に構成されている。
【００３０】
前記編針５の構成（形態）に対応するように各固着溝３は１つの溝底１６と１つの溝口（溝開口）１７と２つの溝側面１８、１９とを有し、この固着溝３の横断面は前記編針５の固着部７の横断面に対応して構成されている。つまり、前記固着部７の側面１４、１５の傾斜は溝側面１８、１９の傾斜と対応するように一致している。具体的には、各固着溝３は、溝口１７の幅（図１の紙面右上から左下に向う方向の長さ）が溝底１６の幅より大きく、また２つの溝側面１８、１９が溝口１７から溝底１６へ向く方向へゆくに従って互いに近接する方向へ傾斜している。つまり固着溝３の横断面は、基本的にＶ形に構成されている。
【００３１】
ところで、前述のようなＶ形の構成は、編針５が固着溝３に嵌着されるとき該編針５を自動調心する。前記編針５の両方の側面１４、１５のうちの一方の側面は、前記固着溝３に編針５を嵌着する時に両方の溝側面１８、１９のうちの一方の溝側面に当接し、かかる場合、編針５を固着溝３にさらに押し込むと編針５を僅かに横方向に変位させ、前記側面１４、１５のうちの残りの側面が他方の溝側面１８、１９に当接する。このため、編針５の中心は固着溝３の中心に位置するように自動的に配置させられ、その位置で編針５は隙間のない状態で固着溝３内へ位置決めされ固定される。前記編機バー１に嵌着される時に、編針５は、編機バー１の溝腹部４またはその一部に何らかの変形を強いることはない。
【００３２】
前記編針５の一部は、編機バー１に嵌着後、小さな張出し量２０で前面２１から突出する。つまり、図９に関連して以下で詳しく説明する蓋でもって個々の編針５を編機バー１内で固定保持することができ、該編針５は大きなコストを必要とすることなく且つ隙間を有することなく固着溝３内へ保持される。
【００３３】
そして、前記編針５の交換は比較的簡単に行なえる。編針５に対して、固着溝３から前側へ引き出す方向へ軽く引張ることによって、該編針５を編機バー１の前面２１の方へ移動させ、それによって固着溝３から取り出すことができる。そして、次に新しい編針５を逆の手順で固着溝３に嵌着することで固着でき、そして前記嵌着時に大きな力を加える必要はない。
【００３４】
図２に示す編針５は、ラッシェル編機用の編針として適している。それに対して、同じ構成要素に同じ符号を付けた図３に示す編針５は、自動経編機または経編機用の編針として適している。
【００３５】
ところで、本発明にかかる前記編機バー１の固着溝３の横断面および編針５の固着部７の横断面は、共通した本発明の特徴を備えた種々の実施形態が考えられるが、以下ではそれらのうちのいくつかの構成について説明することにする。
【００３６】
図５に示す図１とは別の実施形態の編機バー１では、固着溝３が該固着溝３の仮想中心面に対して対称に形成されてはいない。つまり、一方の溝側面１８が前面２１に対して直角に配置されており、他方の溝側面１９は編機バー１の前面２１に対して角度≠９０°となっている。
【００３７】
この編機バー１に取着される編針５は、図６に図示されている。この編針５は、前記固着溝３の構成（横断面形状）に対応して、図６に図示する固着溝３に取着される状態における左側側面１４は、固着部７の前面１２に対して直角であり、他方の側面（右側側面）１５は前面１２に対して鋭角を成すような構成を具備している。
【００３８】
編針５の固着溝３への固着原理は、図１〜図４に図示し既に述べた実施形態に類似（共通）している。しかしながら、固着溝３内での編針５の位置決めは、固着溝３の、編機バー１の長手方向における中心で行われるのでなく、上述したように、編機バー１の前面２１に対して直角を成す左側溝側面１８で行われる。
【００３９】
前記編針５を固着溝３に嵌着するとき、該編針５の側面１５と前記固着溝３の溝側面１９との間の楔作用によって、編針５が僅かに横方向に案内されて、編針５の側面１４が溝側面１８に当接することによって、位置決めは行われる。
【００４０】
付加的にこの構成が有利な点として、前記前面１２に対して直角を成す側面１４と当接する編針５の側の面は平滑に構成しておくことができ、そのことは図６（ｂ）から明らかとなる。
【００４１】
図８（ａ）は、図１に示す編機バー１の正面図である。この実施形態では、並設される固着溝３の各中心面間によって針ゲージ２２の寸法を確定することができることが判る。図５、図６（ａ）、（ｂ）に図示する構成の場合には、編機バー１の前面２１に対して直角に延びる各溝側面１８間の寸法によって、針ゲージの寸法は確定される。
【００４２】
図８（ｂ）は図１に示す編針５を編機バー１に組付けた状態での側面からの構成を示す側面図、図８（ｃ）は図８（ａ）の平面図である。
【００４３】
概略横断面図である図９に示すように、編針５は編機バー１の固着溝３内で固着されている。この横断面では、前記編針５の一方の側面１４は前面１２に対して直角に奥行き方へ延びるように配置され、該側面１４は固着部７の奥行き方向全体（図９において上から下への広がり）にわたって延設されている。また、編針５の他方の側面１５は、固着部７の前面１２に対して直角に延設される部位、つまり前記側面１４と平行な面を同様に有する。また、この他方の側面１５は、固着部７の奥行き方向の奥の方の部分において前面１２に対して傾斜して延設されている面２３を有する。この面２３は固着溝３の溝側面１９の対応する傾斜している面２４に当接する。固着溝３の横断面は、この編針５の横断面に対応するように形成されている。具体的には、一方の溝側面１８が前面２１に対して直角に延設され、他方の溝側面１９が、前面２１に対し直角に延設される部位、つまり前記一方の溝側面１８に平行な面を同様に有する。またこの他方の溝側面１９は、奥行き方向の奥の方の部分において前面１２に対して傾斜して延設されている面を有する。
【００４４】
図９に図示する如く、このような形態で編針５を固着溝３に組付けると、裏面１３と溝底１６との間に安全距離ｓが形成され、本実施形態においては、この安全距離ｓは編機バー１の蓋２５と前面２１との間の張出し量２０よりも寸法的に小さくなるよう構成されている。また、この実施形態にかかる編針５と固着溝３の場合にも、前述した実施形態と同様の作用効果を奏し、且つ前記面２３と面２４とによって調芯作用も奏する。
【００４５】
前記蓋２５は編機バー１に向き合う側に弾性層２６を有し、該蓋２５は編機バー１に固着されるとき、公差（許容誤差）に基づく編針５の固着部７の太さ（固着部の厚さあるいは深さとも表現できる：図９の上下方向の寸法）の差に起因して、編針の一部が編機バー１の前面２１から前方に突出する量が異なる場合でも、すべての編針５を均一に固定し保持することができるようになっている。しかし、この太さの差はそれほど大きくはない。
【００４６】
図１０（ａ）〜（ｊ）は編針５の固着部７の横断面の異なる形態のさまざまな形状を示している。図１１（ａ）〜（ｊ）は、前記図１０（ａ）〜（ｊ）に図示する固着部７の形態に対応したそれぞれ異なる形状を有する形態の固着溝３の横断面を示している。しかしながら、一般的には、１つの編機バー１には同一の横断面形状を有する固着溝３が用いられ、この固着溝３にはその形態（形状）に対応した形態（形状）の固着部７を有する編針５が固着されている。つまり、図１０（ａ）〜（ｊ）及び図１１（ａ）〜（ｊ）は、種々の実施可能な形態の固着溝３と固着部７を例示したものである。
【００４７】
図１０（ｇ）と図１１（ｇ）は、図１〜図４に示す実施形態にかかる両方の側面が互いに近接するよう傾斜する形態のものと同様の形態を備えた固着部７と固着溝３の横断面形状を示す。図１０（ｉ）と図１１（ｉ）は、図５〜図７及び図９に示す実施形態にかかる一方の側面のみが傾斜する形態のものと同様の形態を備えた固着部７と固着溝３の横断面形状を示す。
【００４８】
図１０（ａ）と図１１（ａ）には、図１０（ｇ）と図１１（ｇ）のものと基本的に同様の構成の固着部７と固着溝３の横断面形状が示してある。異なる点は、図１０（ａ）と図１１（ａ）に示す固着部７と固着溝３が、固着部７の裏面１３と固着溝３の溝底１６が平坦に構成されている点である。
【００４９】
図１０（ｂ）に図示する固着部７の側面１４、１５の一部（先端部）の面２７と図１１（ｂ）に図示する固着溝３の溝側面１８、１９の一部（先端部）の面２８は、編針５の中心線２９と固着溝３の中心線３０とが一致するような状態で固着されるが、その状態において、前記中心線２９と中心線３０を中心にしてそれぞれが左右対称となった、奥の方へゆくに従って相手の側面に近づくように、強い傾斜面となっている。
【００５０】
図１０（ｃ）に図示する固着部７の一方の側面１４の中心線２９と図１１（ｃ）に図示する溝側面１８の中心線３０とは、平行になっている。固着部７の他方の側面１５とこれに対応する固着溝３の他方の溝側面１９のみが奥の方にゆくに従って相手の側面方へ近づくように傾斜している。この実施形態では、図１０（ａ）、図１０（ｂ）の実施例とは異なり中心線２９、３０においてではなく、前記側面１４と溝側面１８とで調心が行われる。
【００５１】
図１０（ｄ）と図１１（ｄ）に図示する実施形態は、前記図１０（ｃ）、図１１（ｃ）に図示するものと基本的に同様の構成を有しており、固着部７の裏面１３及び固着溝３の溝底１６が平坦に構成されている。
【００５２】
図１０（ｅ）と図１１（ｅ）に図示する実施形態にかかる構成では、固着部７の側面１４、１５が前面１２から直角に延び互いに平行に形成される部分と、前記部分から奥の方（図１０および１１において下方向）へゆくに従ってそれぞれ奥の方に向って突出するように湾曲することによって丸みをもって裏面１３に移行した半円状の部分とを有し、且つ固着溝３の溝側面１８、１９が、互いに平行に形成される部分と、前記固着部７の構成に対応して、それぞれ丸みをもって溝底１６に移行した半円状の溝の部分を有する。これによって最も幅が大きくなっている溝口１７から互いに平行に延びる面が形成される。この構成においても、編針５を固着溝３に嵌着するときに調心は自動的に行われる。
【００５３】
図１０（ｆ）と図１１（ｆ）に図示する実施形態にかかる構成は、前述した図１０（ｂ）、図１１（ｂ）と図１０（ｃ）、図１１（ｃ）に図示する構成を合わせた形態を有する。この実施形態でも、固着部７の一方の側面１４が中心線２９と平行に向いているのに対して、該固着部７の他方の側面１５は異なる傾斜角で傾斜した２つの面を有し、これに対応して、固着溝３の他方の溝側面１９も異なる傾斜角で傾斜した二つの傾斜した溝側面を有する。
【００５４】
図１０（ｇ）と図１１（ｇ）に図示する実施形態にかかる構成については既に述べた。
【００５５】
図１０（ｈ）と図１１（ｈ）に図示する実施形態にかかる構成では、固着部７の側面が前面１２から直角に延びる部分を有し、側面の一部３１において、前記部分から奥の方へゆくに従って相手の側面方へ近づくように内方に湾曲している。これに対応して、同様に、固着溝３の溝側面も、前面２１から直角に延びる部分を有し、溝側面の一部３２において中心線３０の方向から外方へ湾曲している。これによって最も幅が大きくなっている溝口１７から互いに平行に延びる面が形成される。この構成においても、編針５が固着溝３に嵌着されるときに調心作用は生じる。
【００５６】
図１０（ｉ）と図１１（ｉ）に図示する実施形態にかかる構成については、図５〜図７に関連して既に述べた。
【００５７】
図１０（ｊ）と図１１（ｊ）に図示する実施形態にかかる構成については、図１０（ｉ）、図１１（ｉ）に図示する実施形態の構成と、線対称の構成を有する形態のものであって、図１０（ｉ）、図１１（ｉ）に図示する実施形態のものと基本的に同様の作用効果を奏する。
【産業上の利用可能性】
【００５８】
経編機等の編機等の編成エレメント、編機バーとして利用することができる。
【図面の簡単な説明】
【００５９】
【図１】編針が着座している編機バーの一部を示す。
【図２】編針の第１実施形態を示す。
【図３】編針の第２実施形態を示す。
【図４】編針および固着溝の横断面を説明するための略図である。
【図５】編針を嵌着した編機バーの変更実施形態を示す。
【図６】図５による編機バーと一緒に使用するための編針を示す。
【図７】編針および固着溝の横断面を説明するための略図である。
【図８】図１による編機バーの正面図、側面図および平面図である。
【図９】編針と編機バーとの協動を説明するための略図である。
【図１０】編針のさまざまな横断面形状を示す。
【図１１】図１０の編針に対応した固着溝の横断面形状を示す。
【符号の説明】
【００６０】
１…編機バー
３…固着溝
５…編針
６…ステム
７…固着部
１２…固着部の前面
１３…固着部の後面
１４，１５…固着部の側面
１６…溝底
１７…溝口
１８，１９…固着溝の側面
２０…張出し量
２１…バーの前面
【図１】
2007197895.tif 000003
【図２】
2007197895.tif 000004
【図３】
2007197895.tif 000005
【図４】
2007197895.tif 000006
【図５】
2007197895.tif 000007
【図６】
2007197895.tif 000008
【図７】
2007197895.tif 000009
【図８】
2007197895.tif 000010
【図９】
2007197895.tif 000011
【図１０】
2007197895.tif 000012
【図１１】
2007197895.tif 000013